(57)【特許請求の範囲】
【請求項１】
大規模ビル内情報通信配線又は配管等のライン設計の支援処理システムを営業・技術両サイドを行う業務を中心とした全関連業務に供するため、主分配装置と中継分配装置とアウトレットとこれ等を順次系統接続する配線又は配管からなる前記ラインを構成する要素の接続構成を示す設計図面を作図する作図手段と、当該作図手段で作成した設計図面に基づいて装置等積算データを求めるとともに、各装置を構成する前記要素毎に装置・物品対象テーブルを参照し、物品テーブルから各種データを呼び出すことにより所定の項目の積算データを作成する積算手段と当該積算手段により作成された積算データに基づいて予め決められた形式の帳票を作成して出力する帳票手段とを備え、一連に連動して提案と基本設計と詳細設計と施工に至る全てのフェーズまで一貫して必要な帳票類を自動作成する一元管理のライン設計支援処理システムであって、
前記作図手段と前記積算手段と前記帳票手段は、
入力装置とポインティング装置と表示装置と出力装置と各種メモリとこれ等を共通的にバスを介して接続し、業務を行う上で最適処理を行うための高度な技術のロジックをビルトインして統括的に制御する制御装置とからシステム構成され、
前記各種メモリは、
各種プログラムを記録するプログラム・メモリと各種ファイルを記録するファイル・メモリと各種データを記録するデータ・メモリであり、
前記プログラム・メモリは、
ＲＯＭであって、メインプログラムと作図プログラムと積算プログラムと帳票プログラムを読み出し自在に記憶し、
前記ファイル・メモリは、
ＲＡＭであって、当該作図プログラムと当該積算プログラムと当該帳票プログラムによりそれぞれ対応作成された設計図面ファイルと物品の必要数量、物品単価、調達期間、工事単価で構成される積算データファイルと帳票ファイルとを読み出し書込み自在に記憶し、
前記データ・メモリは、
ＲＡＭであって、構成物品コードと数量の項目でデータベースを構成する装置・物品対象テーブルと装置型形式と数量の項目でデータベースを構成する装置等積算データと物品名、個数、物品単価、調達期間の項目でデータベースを構成する各物品テーブル群
とを読み出し書き込み自在に記憶し、
前記制御装置は、
全処理を行う際、基本的に自己完結的に行えるオペレーションプログラム及びアプリケーションプログラムに基づいて制御や演算処理を行うマイクロプロセッサ等のＣＰＵであり、ケーブル系統図ならびケーブル系統図に基づいて作成される帳票類（積算表、材料集計表、工程内容、見積書）を出力することを特徴とするライン設計支援処理システム。
【発明の詳細な説明】
【０００１】
【発明の属する技術分野】
本発明は、通信の配線や通信管路の配管などのライン接続設計に際し、特にビル等の構内配線または配管などのラインシステムの設計から見積までを行う設計支援の処理作業に供されるライン設計支援処理システムとその処理方法に関する。
【０００２】
【従来の技術】
従来より通信ケーブルや通信管路といったラインのシステム設計は、ビル等の構内通信システムを例にとると、次のように行っていた。
即ち、先ずその構内通信システムの必要とする仕様に合わせて、ビル全体の主要要素の配置と接続構成のシステム全体のレイアウトを作成する。
【０００３】
次に、全体のレイアウトから、主要要素及びその接続に必要となる接続要素の種類と数量を積算する。そして、この積算結果に基づいて、別に用意されているデータ等を検索等して、主要要素と接続要素を構成する細目物品について種類、数量、価格、納期更には工費などを積算する。
次に、上述の積算結果に基づいて、設計明細書や見積書さらに請求書といった帳票類を作成する。
【０００４】
ここで、実際の具体的詳細な従来技術の処理手順を段階を追って説明する。
（１）ケーブル系統図作成要領について
ツール：ワープロ（ＯＡＳＹＳ）、パソコンＣＡＤを使用する。
［描画方法］
図２８に、システム構成図Ｖをワープロで描画したケーブル系統図を示す（基本設計書に添附している資料）。
ワープロでは、罫線及び線描画を利用して描画する。
繰り返し要素が多いため、基本部分を描画し、コピーとペーストで描画する。
ケーブルの対数及びアウトレット数が変更すると、その都度分配装置（ＤＦ）対数を計算機で計算し、記述しなおす。
ＣＡＤでの描画については、基本パターン（四角、円、線等）描画については、ワープロより優れているが、基本的にワープロと同様の描画方法をとる。
【０００５】
（２）積算方法の要領について
ツール：ワープロのカルク、計算機、パソコンの表計算ソフトを使用する。
［積算方法］
ワープロのカルク及び表計算ソフトでは、表形式で物品名毎の単価を登録しておき、物品毎の数量の合計を算出しその値を入力する。そして、カルクや表計算で自動的に物品毎の合計額を計算し、全合計額を算出する方法をとっている。
上記の方法は、各支社または営業部毎で異なっており、遅れている部門では、計算機で合計額を算出している。
【０００６】
（３）帳票について
ツール：ワープロを使用する。
［表作成方法］
帳票については、一例として積算表Ｗ、材料集計表Ｘ、工程内容Ｙ（支線、幹線、管理、機械室、その他）、見積書Ｚがある（図２９〜図３２）。
積算表Ｗについては、ワープロのカルクや表計算のみの場合は、ワープロで新たに作成している。材料集計表Ｘでは、各物品毎の合計額を表形式に作成する。工程内容については、各階で施工する物品について拾い出し、ワープロで作成している。
【０００７】
【発明が解決しようとする課題】
例えば、ＬＡＮシステム導入に伴う構内配線システムの需要拡大、再開発等の高層インテリジェントビルに見られる構内配線システム規模の巨大化に伴い、システム提案及び基本設計件数は増加している。一方、外資系サードパーティ等の配線ビジネスへの進出に伴い低価格化競争が激化している。
【０００８】
当該市場動向を勘案すると、コストダウンをはかった経済的な配線システム構築手法の達成が業務であり、マンパワーに依存している提案書・見積書作成及び設計積算業務の稼働削減を重点的に取り組む必要があった。
【０００９】
出願人会社内においても設計・積算技術者が不足しており、ビジネスチャンスの契機となるお客様初期提案時に必要となる見積書作成及び限られた工期内に効率よく基本設計を処理出来るツール類の整備、特に初心者でも容易にオペレート可能なシステムが要望される現状であった。
【００１０】
要するに、このような設計における作図、積算および帳票作成といった作業を従来ではほとんど手作業で行っていた。即ち、全て手書きで処理したり、ワードプロセッサやパーソナルコンピュータあるいはＣＡＤを利用した作図、表計算あるいは印刷機能を使用して、作図と積算と帳票作成とを別個にデータ投入して行っていた。
【００１１】
このため、作図から帳票作成までに多大な稼働と時間を必要とし、また効率化を図り難いといった問題があった。特に、作図段階での変更があると、設計作業を再度やり直す必要から、設計変更への即応を実現し難く、例えばビジネスチャンスを失うといった問題があった。
【００１２】
ここにおいて、本発明の解決すべき主要な目的は次の通りである。
即ち、本発明の第１の目的は、ラインシステムの設計・積算業務を支援するために支店等でも手軽に導入できるパソコンおよび市販パッケージソフトをベースとした安価でかつ操作が容易なシステム開発を実現し得るライン設計支援処理システムおよび方法を提供せんとするものである。
【００１３】
本発明の第２の目的は、ラインシステムのお客様提案書、基本設計書作成時に行う設計・積算業務をシステム化したもので、ＭＳ−ＷＩＮＤＯＷＳ環境でのオブジェクト指向技術に基づくソフトウェア開発を短期間で効率的に実現しシステムエンジニアリング（ＳＥ）業務の合理化を全国展開し得るライン設計支援処理システムおよび方法を提供せんとするものである。
【００１４】
本発明の第３の目的は、ラインシステムの設計・積算業務の中で、お客様提案書、基本設計書作成業務の中核となるシステム構成図および各種積算帳票（工程、材料積算、材料集計表、工程内容、見積書等）の作成業務を一貫システム自動化し得たライン設計支援処理システムおよび方法を提供せんとするものである。
【００１５】
本発明の第４の目的は、システム構成図作成機能は統合配線・管システム構成図の編集作業に最適化した独自の描画機能を盛り込むことにより、迅速かつ効率的システム構成図の作成が可能となるライン設計支援処理システムおよび方法を提供せんとするものである。
【００１６】
本発明の第５の目的は、作成したシステム構成図から自動的に積算が行われ、帳票類も同時に作成され、従来のワープロ・電卓による手作業と比較しても、大幅な稼働削減が計られるライン設計支援処理システムおよび方法を提供せんとするものである。
【００１７】
本発明の第６の目的は、効率のよい、設計変更にも迅速に対応できるライン設計支援処理システムおよび方法を提供せんとするものである。
【００１８】
本発明のその他の目的は、明細書、図面、特に特許請求の範囲の各請求項の記載から自ずと明らかとなろう。
【００１９】
【課題を解決するための手段】
前記した課題の解決は、本発明が次に列挙する新規な特徴的構成手段及び手法を採用することにより前記目的を達成する。
即ち、本発明装置の第１の特徴は、大規模ビル内情報通信配線又は配管等のライン設計の支援処理システムを営業・技術両サイドを行う業務を中心とした全関連業務に供するため、主分配装置と中継分配装置とアウトレットとこれ等を順次系統接続する配線又は配管からなる前記ラインを構成する要素の接続構成を示す設計図面を作図する作図手段と、当該作図手段で作成した設計図面に基づいて前記要素毎に所定の項目の積算データを作成する積算手段と、当該積算手段により作成された積算データに基づいて予め決められた形式の帳票を作成して出力する帳票手段とを備え、一連に連動して提案と基本設計と詳細設計と施工に至る全てのフェーズまで一貫して必要な一元管理のライン設計支援処理システムであって、前記作図手段と前記積算手段と前記帳票手段が、入力装置とポインティング装置と表示装置と出力装置と各種メモリとこれ等を共通的にバスを介して接続し、業務を行う上で最適処理を行うための高度な技術のロジックをビルトインして統括的に制御する制御装置とからシステム構成され、前記各種メモリが、各種プログラムを記録するプログラム・メモリと各種ファイルを記録するファイル・メモリと各種データを記録するデータ・メモリであり、前記プログラム・メモリが、ＲＯＭであって、メインプログラムと作図プログラムと積算プログラムと帳票プログラムを読み出し自在に記憶し、前記ファイル・メモリが、ＲＡＭであって、当該作図プログラムと当該積算プログラムと当該帳票プログラムによりそれぞれ対応作成された設計図面ファイルと積算データファイルと帳票ファイルとを読み出し書き込み自在に記憶し、前記データ・メモリが、ＲＡＭであって、対象テーブルと装置等積算データと各物品テーブル群とを読み出し書き込み自在に記憶し、前記制御装置が、全処理を行う際、基本的に自己完結的に行えるオペレーションプログラム及びアプリケーションプログラムに基づいて制御や演算処置を行うマイクロプロセッサ等のＣＰＵであるライン設計支援処理システムにある。
【００２０】
本発明装置の第２の特徴は、前記本発明装置の第１における前記入力装置が、キーボード、ライトペン、文字読取機、タッチパネル、音声読取機、カードリーダー、イメージスキャナ、デジタイザのいずれか又は組合せであるライン設計支援処理システムにある。
【００２１】
本発明装置の第３の特徴は、前記本発明装置の第１又は第２における前記ポインティング装置が、マウス、トラックボール、タブレットのいずれかであるライン設計支援処理システムにある。
【００２２】
本発明装置の第４の特徴は、前記第１、第２又は第３における前記表示装置が、ＣＲＴ、液晶、プラズマのいずれかのディスプレイ装置であるライン設計支援処理システムにある。
【００２３】
本発明装置の第５の特徴は、前記第１、第２、第３又は第４における前記出力装置が、ワイヤドット、インクジェット、熱転写、静電、レーザー、光学写真等各種方式のプリンタであるライン設計支援処理システムにある。
【００２４】
本発明方法の第１の特徴は、大規模ビル内情報通信配線又は配管等のライン設計の支援を営業・技術両サイドを行う業務を中心に全関連業務に資する一元管理のため、適宜表示画面上で、主分配手段と中継分配手段とアウトレット手段とこれ等順次系統接続する配線手段又は配管手段からなる前記ラインを構成する要素の配置と接続により設計図面を自動描画する作図処理ステップを踏むと、当該作図処理ステップで作成した設計図面に基づいて、前記要素毎に所定の項目の積算データを作成する積算処理ステップと、当該積算処理ステップにより作成された前記積算データに基づいて予め決められた形式の帳票を作成して出力する帳票処理ステップと、を自動的に順次踏んで実行するに当り、前記作図処理ステップが、予め登録用意されてある作図プログラムに則り、設計対象物のビル全体枠の登録ステップ１と、前記主分配手段のレイアウトの登録ステップ２と、前記中継分配手段のレイアウトの登録ステップ３と、幹線ケーブル又はパイプのレイアウトの登録ステップ４と、前記アウトレット手段のレイアウトの登録ステップ５と、を順次踏んで実行し、前記積算処理ステップが、前記作図処理ステップで作成登録された設計図面ファイル及び各種予め登録用意されてあるデータベースから所望データの読み出しステップと、積算に必要な所要補助入力データの入力ステップと、積算処理を予め登録用意されてある積算プログラムに則り実行する積算実行ステップと、を順次踏んで実行し、前記帳票処理ステップが、前記積算ステップで作成登録された積算データファイル及び各種予め登録用意されてあるデータベースから所望のデータの読み出しステップと、当該読み出しステップで作成された帳票の画面表示ステップと、当該画面表示された帳票を適宜出力手段での帳票印刷ステップと、を順次踏んで実行してなるライン設計支援処理方法にある。
【００２５】
本発明方法の第２の特徴は、前記本発明方法の第１の特徴における前記作図処理ステップと前記積算処理ステップが、データ入力が有れば、前記作図処理ステップの中継分配手段の登録ステップ３に戻って必要なフロアのライン系統を自動作図可能に、又は、データ入力が無ければ、前記積算処理ステップに移行可能に、前記両処理ステップ間にデータ入力の有無判断ステップを介設してなるライン設計支援処理方法にある。
【００２６】
本発明方法の第３の特徴は、前記本発明方法の第１又は第２の特徴における前記帳票処理ステップが、データ修正が有れば、作図処理ステップの中継分配手段の登録ステップ３に戻って必要なフロアのライン系統を自動作図可能に、又は、データ修正が無ければ、次の帳票印刷ステップに移行可能に、帳票の画面表示ステップと当該帳票印刷ステップ間にデータ修正の有無判断ステップを介設してなるライン設計支援処理方法にある。
【００２７】
【発明の実施の形態】
（装置形態）
本発明装置の実施形態を図面について詳説する。
図１は、本装置形態のシステム構成の一例を示す図である。
【００２８】
本装置形態のシステムαは、マイクロプロセッサ等の制御装置１とキーボード等の入力装置２とマウス等のポインティング装置３とＣＲＴ、プラズマあるいは液晶等の表示装置４とプリンタ等の出力装置５と各種メモリ６、７、８とこれらの各装置をＣＰＵ制御装置１に共通的に接続するバスＰとから構成される。メモリは、各種プログラムを記録するプログラム・メモリ６と、各種ファイルを記録するファイル・メモリ７と、各種データを記録するデータ・メモリ８とから構成される。
【００２９】
制御装置１は、全処理を行う際、基本的に完結的に行えるオペレーションプログラム及びアプリケーションプログラムに基づいて各装置２〜５を制御したり各情報を演算処理をする働きをするので業務を行う上で最適処理を行うための高度な技術のロジックをビルトインしてあり、全処理を行う際、基本的に自己完結的に実行し、自動描画処理を遂行する。
【００３０】
入力装置２は、キーボードからなるが、必要に応じて、イメージスキャナー、カードリーダー、ＯＣＲ、デジタイザ、ライトペン、タッチパネル、音声読取機等を交換又は組合せ装備しても良い。
【００３１】
ポインティング装置３は、マウスの外、トラックボールやタブレットが使用される。
表示装置４は、ＣＲＴ、液晶の外、プラズマディスプレイ装置が使用される。
出力装置５は、ワイヤドット、インクジェット、熱転写、静電、レーザー、光学写真等各方式のプリンタが使用される。
【００３２】
（方法形態）
次に、本発明方法の実施形態の実行手順を図面について説明する。
図２は本方法形態のフローチャートである。
本方法形態の実行動作は、図２に示すように大きく分けて３つの処理動作から成り立っている。即ち、作図処理ステップＳＴ１と、積算処理ステップＳＴ２と、帳票処理ステップＳＴ３の３つであり、以下それぞれの処理について順次説明する。
【００３３】
［作図処理ステップＳＴ１］
ここでは、設計の基礎となるライン系統図を仕様にそって作成し、それをファイルとしてファイル・メモリ７に記録する。即ち、ラインを構成する主要装置（ノード装置）の配置とその接続関係を図面化し、併せて使用するノード装置とその接続線の種類や容量を特定する。
【００３４】
作成にあたっては、作図プログラムを動作させて、キー入力装置２やマウス３からの描画の指示や命令に基づいて、表示装置４画面に表示させながら進める。ここで、作図プログラムとしては、既存のもの、例えば予めプログラム・メモリ６に登録用意された図形素片を用いるものなどを利用できる。
作成したライン系統図は、ファイル化して作図ファイルとしてファイル・メモリ７に記録する。
【００３５】
［積算処理ステップＳＴ２］
プログラム・メモリ６内の積算プログラムにより、作成したライン系統図の積算処理を行う。
積算処理は、作図ファイルの設計データに基づいて、次のように行う。
まず、ライン系統図の作成に入力していないが、積算処理には必要となるデータを追加入力する。例えば、ラインの長さや追加仕様内容などである。
【００３６】
次に、作図ファイルの設計データから、同一構成要素毎に数量等の積算を行う。例えば、各ノード装置、ケーブル、アウトレット等を同一規格や種類毎に集計して、必要とする個数や数量の決定を行う。
引き続き、必要に応じて、データの変更や追加を行ってもよい。
その後、積算した結果のデータは、積算ファイルとして、ファイル・メモリ７に記録する。
【００３７】
［帳票処理ステップＳＴ３］
プログラム・メモリ６内の帳票プログラムにより、作成したライン系統図に関する各種帳票を作成処理する。帳票処理は、積算ファイルの集計データに基づいて、次のように行う。
まず、各構成要素のデータを積算ファイルより読み出す。
【００３８】
次いで、当該構成要素に関連し、又、設置に必要となる部品や材料や工程の構成データ、価格データ等を、データ・メモリ８から読み出す。
引き続き、データ・メモリ８から読み出した各データに基づき、標準規格化された最大Ａ３寸法の所定の帳票、例えば積算表、材料集計表、工程内容、見積書などを作成する。
作成した帳票を、表示装置４に表示し、また出力装置５に出力する。
なお、作図処理ステップＳＴ１を実行すれば、積算処理ステップＳＴ２と帳票処理ステップ３は必要な補助入力を加えれば自動的に自己完結的に実行される。
【００３９】
【実施例】
（装置例）
本発明装置の実施例（以下、本装置例）はビル構内通信配線のライン設計支援処理システムを図面を参照して説明する。
本発明はビル内の通信配線や通信ケーブル通し配管等の管路を対象とする。
【００４０】
図３は本装置例のシステム構成の一例を示す図である。
図３のシステムαは、図１と基本的に同じ構成である。
図中、９はメインプログラム、１０は作図プログラム、１１は積算プログラム、１２は帳票プログラムであって、予め別途作成されてプログラム・メモリ６のＲＯＭに読み出し自在に記録してある。即ち、提案と基本設計と詳細設計と施工に至る全てのフェーズまで一貫して必要な帳票類を自動作成する。
【００４１】
１３は設計図面ファイル、１４は積算データファイル、１５は帳票データファイルであって、本装置例αによって作成されファイル・メモリ７のＲＡＭに読み出し書き込み自在に記録してある。
１６は対象テーブル、１７は装置等積算データ、１８〜２０は、物品ａ〜ｃテーブルであって、予め別途作成されてデータ・メモリ８のＲＡＭに読み出し書き込み自在に記録してある。
【００４２】
（方法例）
本装置例に適用する本発明方法の実施例（以下、本方法例）の実行処理手順を図面につき詳説する。
本方法例の動作は、図４乃至図５に示すように、作図処理ステップＳＴ１と、積算処理ステップＳＴ２と、帳票処理ステップＳＴ３との大きな３つの段階処理により行われ、以下それぞれの処理例について順次説明する。
図４及び図５は本方法例のブロックフローチャートとシンボリックフローチャートである。
【００４３】
［作図処理ステップＳＴ１］
（１）図６に示すよう設計対象となるビル構成を作図する［ＳＴ１ａ］。
（ａ）ビルの構成仕様を入力する。即ち、ビル名、最下階、最上階、階高、ラインの系統数等を入力する。
（ｂ）ビルＡの形状（枠２１構成）を作図する。
【００４４】
（２）ラインシステムの外部ラインとの接続装置（主分配装置２２：ＭＤＦ）を、既に作図してあるビル構成図の所定位置に配置させて作図する［ＳＴ１ｂ］。→図６：Ｂ１Ｆ部分
（３）既に作図してあるビル構成図のフロア位置に、そのフロアＦの中継分配装置（ＩＤＦ）２３〜２８を配置させて作図する［ＳＴ１ｃ］。
【００４５】
（４）作図した当該フロアの中継分配装置（ＩＤＦ）２３〜２８と主分配装置（ＭＤＦ）２２との間に幹線ライン（ケーブル）２９〜３４を作図する［ＳＴ１ｄ］。
（５）作図した幹線ライン（ケーブル）２９〜３４の種類と数量、容量を入力する。
【００４６】
（６）当該フロアのアウトレット３５〜４０を配置して作図し、当該フロアの中継分配装置（ＩＤＦ）２３〜２８との接続ライン（ケーブル）４１〜４６を作図する［ＳＴ１ｅ］。
（７）作図したアウトレット３５〜４０の種類、数量を入力する。
（８）当該フロアの中継分配装置（ＩＤＦ）２３〜２８の配列パターン、ジャンパパッチコード４７〜５０を入力する。
【００４７】
（９）Ｙｅｓの場合は、上記（３）〜（８）を繰り返して、必要なフロアのライン系統を作図する［ＳＴ４］。
（１０）Ｎｏの場合は、作図が終了したこととなり、作図情報と入力した各装置等のデータとを、設計図面ファイル１３としてファイル・メモリ７に記録する。→図６
【００４８】
［積算処理ステップＳＴ２］
図４乃至図６に示すようまず、積算処理のアウトラインから説明する。
作図処理によって作成された設計図面ファイル１３には、主分配装置（ＭＤＦ）２２、中継分配装置（ＩＤＦ）２３〜２８、各種ケーブル２９〜３４、４１〜４６、４７〜５０，アウトレット３５〜４０の各装置毎に図７のような設計データ５１が記録される。即ち、図７のように、各装置等の一つ一つのＩＤ（ＩＤ１、…）について、設置場所や使用する装置型式（ＡＡ−ｎ、…）などの設計に必要な情報が予め記録用意されている。
【００４９】
積算処理では、このような設計データ５１の全てについて、データの読み出しを行うため「装置型式」をキー入力装置２にて検索を行い、同一の装置型式の数量をカウントする。その結果、図８に示すような、装置等に関する積算データ１７を作成する。これにより、設計データ５１からの装置等の型式（ＡＡ−ｎ、ＡＡ−ｍ、ＢＢ−ｐ、…）毎の積算データ１７をファイルとして得られる。
【００５０】
さらに、装置等は、複数の共通的な物品を組み合わせて構成されるのが一般的であるため、この物品を基本とした積算データが必要となる。そこで、各装置型式毎に、その装置等に含まれる物品の構成内容を示す図９のような装置・物品対象テーブル１６を予め用意してある。
【００５１】
即ち、図９のように、各装置型式（Ｘ、…）毎に、その装置型式を構成する物品コード（ａ、ｂ、…）と数量（ｎ、ｍ、…）とが少なくとも含まれるようなテーブルが用意される。さらに各物品コード（Ｙ、…）について、それぞれの仕様等の必要なデータを予め記録した図１０に示すような物品ａ、ｂ、ｃテーブル１８〜２０が用意される。
【００５２】
これにより、図８の装置等の積算データ１７と図９の装置・物品対象テーブル１６とに基づいて、各物品ａ、ｂ、ｃ毎のシステム設計に必要な数量を得られる。そして、図１０の物品データを用いることにより、積算データとして各物品毎に図１１のような積算データファイル１４が得られる。
【００５３】
図６の例では、装置等として主分配装置（ＭＤＦ）２２、中継分配装置（ＩＤＦ）２３〜２８、各種ケーブル２９〜３４、４１〜４６、４７〜５０、アウトレット（ＯＵＴ）３５〜４０があるが、この中から中継分配装置（ＩＤＦ）２３〜２８を例にとって、積算処理の具体的な処理手順を以下に説明する。他の装置等についても、積算項目の異同はあるものの、基本的な処理手順は同じである。
【００５４】
作図処理によって作成された設計図面ファイル１３の中継分配装置（ＩＤＦ）２３〜２８の設計データ５１′例を図１２に、中継分配装置（ＩＤＦ）２３〜２８・構成物品対象テーブル１６′例を図１３、物品テーブル１８′〜２０′例を図１４にそれぞれ示す。なお、各図面に示したデータ等は説明のための例示であり、実際には内容、項目あるいはデータ構成等を適宜に設定できることはいうまでもない。
【００５５】
積算処理では、図１２の設計データ５１′について、装置型式をキー検索を行い、同じ型式毎の数量をカウントする。この積算データ１７′の結果を図１５に示す。
つぎに、図１５の中継分配装置（ＩＤＦ）２３〜２８の型式毎の積算データ１７′結果と、図１３の中継分配装置（ＩＤＦ）２３〜２８・構成物品対象テーブル１６′とを用いることにより、各物品毎の積算を行う。
【００５６】
図１３の例では、各中継分配装置（ＩＤＦ）２３〜２８が共通のキャビネット、配線パネル、ケーブル端子及び内線端子の各物品で構成されることを示している。
この場合も、実際の設計においては、構成物品の内容や形式等が共通である必要はなく、適宜に選択できることはいうまでもない。
【００５７】
この物品毎の積算結果は、図１６のようになる。図１６が積算データ・ファイル１４′であり、次の帳票処理に必要となるデータを含めた情報も含まれている。なお、図１６では、中継分配装置（ＩＤＦ）２３〜２８についての数量を示しているが、最終的な積算データ・ファイル１４′には、他の装置等で同じ物品が使用される場合には、その数量も加算される。
【００５８】
即ち、例えば、主分配装置（ＭＤＦ）２２やアウトレット（ＯＵＴ）３５〜４０においても、同一のケーブル端子や内線端子が使用される場合には、その数量が図１６の数量値に加算されることになる。
このようにして、図１６のような積算データを得る。
【００５９】
ここで、図４乃至図５につき積算処理実行手順の実際の作業を詳説する。
（１）ケーブル系統図のデータをＣＳＶ形式ファイルにする。システム構成図によりＣＳＶ形式で設計データをアウトプットする。
ＣＳＶ型式でアウトプットするファイル：ＤＦ、ケーブル、アウトプット等に分類した形式。
ＤＦのＣＳＶ形式（図１７参照）。
【００６０】
（２）積算システムによりＣＳＶ形式ファイルをインポートする［ＳＴ２ａ］。
前記ＣＳＶ形式の設計データをファイル毎に積算システム（Ａｃｃｅｓｓ）上に取込む。
（３）ケーブル系統図作成に入力できなかったデータを読み込む［ＳＴ２ｂ］。
（マスタＤＢのバージョン番号を比較する事によりデータを読み込みの有無を確認する。）
【００６１】
マスタＤＢのデータ説明
Ｉ  物品：各種物品の詳細データ（品名、物品単価、工事単価等３４項目）。
II  配列パターン構成物品：ＤＢを構成する材料をパターンと関連づけることにより構成材料が決定される。
マスタＤＢのフォーマット（図１８参照）。
III 屋内線パターン構成物品：屋内線・アウトレットの材料構成のパターン化したもの。
IV  マスタＤＢバージョン：マスタＤＢバージョン番号を格納する。
【００６２】
（４）積算処理を開始し、物品の要求数量の決定を行う。設計者は、ケーブル系統図作成時に入力したデータ以上の物品を要求する場合はデータを変更する。各配線オブジェクト毎の積算方法を以下に示す。
【００６３】
［積算表を作成するためのＤＦの積算］
Ｉ  複数あるＤＦのうち、配列パターンＩＤをキーとして同一配列パターンの和を算出する（アウトレット３５〜４０及びケーブル２７〜３４、４１〜４６、４７〜４９についても同様の処理を行う）。
II  配列パターンＩＤをキーとして配列パターンと配線パターン構成物品テーブル１８〜２０と比較し、物品ａ〜ｃ毎の調達数量及び工程数量を計算する。
【００６４】
III 同一の物品ａ〜ｃＩＤ毎に調達数量及び工程数量の和を計算する。
IV  物品ａ〜ｃＩＤを物品テーブル１８〜２０を比較して、物品ａ〜ｃ毎の詳細データを算出する（下記のアウトプットに必要なデータを物品テーブル１８〜２０から引張ってくる。）
【００６５】
（５）設計者に必要数量のチェックを行ってもらうために画面上に物品ａ〜ｃ毎の必要数量を出力する。数量に変更があれば、要求数量に新たな数量を投入する。
（６）再度物品費を計算する。
【００６６】
（７）積算データをＣＳＶ形式でアウトプットする。
積算表のフォーマット（図１９参照）。
なお、（３）以降のフローについては、積算表のアウトプットのフローであり、この他に材料集計表および工程内容をアウトプットするためのフローがある。
【００６７】
以上の一連の積算処理に際して、積算を行うため実動するファイルの関連図として図２０を示す。
図２０はマスタＤＢサブシステムＳ１、メインサブシステム（ＣＡＤ部分）Ｓ２、積算ＤＢサブシステムＳ３のデータ引渡しの流れを示す。Ｆ１はマスタデータファイル、Ｆ２は積算データファイルである。
【００６８】
積算ＤＢサブシステムＳ３に読み込まれるファイルは、積算データ（設計データから読み込んできたデータ）として積算ＤＦテーブル、積算ケーブルテーブル、積算ケーブル構成物品テーブル、積算アウトレットテーブルが、マスタデータ（マスタＤＢサブシステムＳ１から読み込んできたデータ）として物品テーブル、配列パターン構成物品テーブル、屋内線パターン構成物品テーブルが、それぞれ対応する。
【００６９】
さらに、ＤＦの材料集計を行うためのファイルの関連を示す積算ＤＦテーブルと配列パターン構成物品テーブルと物品テーブルを図２１に、テーブルの材料集計を行うためのファイルの関連を示す積算ケーブルと積算ケーブル構成物品テーブルと物品テーブルを図２２に、アウトレットの材料集計を行うためのファイルの関連を示す積算アウトレットテーブルと屋内線パターン構成物品テーブルと物品テーブルを図２３にそれぞれ図示する。
【００７０】
［帳票処理ステップＳＴ３］
プログラム・メモリ６内の帳票作成プログラム１２により、積算データ・ファイル１４のデータに基づいて帳票処理を行う。
この場合、作成する帳票内容に必要となる各種データはデータ・メモリ８内に記録されているテーブルよりデータを読み出す。帳票作成プログラム１２は、従来より周知のアプリケーションプログラムを利用できる。
【００７１】
ここで、図４乃至図５につき帳票処理実行手順の実際の作業を説明する。
（１）積算データファイル１４をＣＳＶ形式ファイルにする。
（２）帳票システムによりＣＳＶ形式ファイルをインポートする［ＳＴ３ａ］。
（３）各種帳票（積算表５２、材料集計表５３、工程内容５４ａ、５４ｂ、見積書５５）が画面上に表示する［ＳＴ３ｂ］。
【００７２】
（４）帳票に変更がある場合（Ｙｅｓ）、作図処理ステップＳＴ１のフロア下の中継分配装置（ＩＤＦ）２３〜２８を配置させる下ＩＤＦ登録ステップ［ＳＴ１ｃ］に戻りデータを変更し［ＳＴ５］、積算処理ＳＴ３を再度行う。
（５）Ｎｏの場合、各種帳票（積算表５２、材料集計表５３、工程内容５４ａ、５４ｂ、見積書５５）を印刷する。［ＳＴ３ｃ］
作成した帳票の一例として、「見積書５２」、「材料集計表５３」、「工程表５４ａ、５４ｂ」及び「見積書５５」の例を図２４〜図２７に示す。
【００７３】
以上の作図処理ステップＳＴ１と、積算処理ステップＳＴ２と、帳票処理ステップＳＴ３とを実行することは全ての処理を基本的に自己完結的に遂行し、営業・技術両サイドを行う業務を中心として提案と基本設計と詳細設計と施工に至る全てのフェーズまで一貫して必要な帳票類を自動作成可能として全ての関連業務用の資料に供し得る一元的管理が出来る。
【００７４】
【発明の効果】
以上説明したように、本発明のライン設計支援処理システムと方法によれば、作図と積算と帳票の作成を一貫して処理することが可能となるので、全ての関連業務用のデータや資料に供され例えば通信ケーブル等の配線設計から見積書の作成までを効率よく行うことが可能となり、さらに設計変更にも迅速に対応できる一元的管理といった格別の効果を得られる。
【図面の簡単な説明】
【図１】本発明装置の実施形態のシステム構成例を示す図である。
【図２】本発明方法の実施形態のフローチャートである。
【図３】本発明装置の実施例のシステム構成例を示す図である。
【図４】本発明方法の実施例のブロックフローチャートである。
【図５】本発明方法の実施例のシンボリックフローチャートである。
【図６】同上における作図処理ステップＳＴ１の登録例図である。
【図７】積算処理ステップＳＴ２における設計データ表図である。
【図８】同上における装置等積算データ表図である。
【図９】同上における装置・物品対象テーブル表図である。
【図１０】同上における物品テーブル表図である。
【図１１】同上における積算データ・ファイル表図である。
【図１２】同上における中継分配装置の設計データ表図である。
【図１３】同上のＩＤＦ・構成物品対象テーブル表図である。
【図１４】同上の物品テーブル表図である。
【図１５】同上の装置等積算データ表図である。
【図１６】同上の精算データ・ファイル表図である。
【図１７】積算処理ステップＳＴ２におけるＣＳＶ形式ファイル化のためのＤＦのＣＳＶ形式表図である。
【図１８】同上における読み込むためのマスタＤＢのフォーマット表図である。
【図１９】同上におけるＣＳＶ形式で出力するための積算表のフォーマット表図である。
【図２０】同上におけるマスタＤＢサブシステム、メインシステム、積算ＤＢサブシステムのデータ引渡しの流れ図である。
【図２１】ＤＦ材料集計を行うためのファイルの関連表図である。
【図２２】ケーブルの材料集計を行うためのファイルの関連表図である。
【図２３】アウトレットの材料集計を行うためのファイルの関連表図である。
【図２４】帳票処理ステップＳＴ３における積算表の出力例を示す図である。
【図２５】同上における材料集計表の出力例を示す図である。
【図２６】同上における工程内容の出力例を示す図で、（ａ）は支線、（ｂ）は幹線の場合である。
【図２７】同上における見積書の出力例を示す図である。
【図２８】従来法により作図したシステム構成図である。
【図２９】同上による積算表の出力例を示す図である。
【図３０】同上による材料集計表の出力例を示す図である。
【図３１】同上による工程内容の出力例を示す図である。
【図３２】同上による見積書の出力例を示す図である。
【符号の説明】
α…設計支援処理システム
Ｖ…システム構成図
Ｗ…積算表
Ｘ…材料集計表
Ｙ…工程内容
Ｚ…見積書
１…制御装置
２…入力装置
３…ポインティング装置
４…表示装置
５…出力装置
６…プログラム・メモリ
７…ファイル・メモリ
８…データ・メモリ
９…メインプログラム
１０…作図プログラム
１１…積算プログラム
１２…帳票プログラム
１３…設計図面プログラム
１４、１４′…積算データプログラム
１５…帳票データファイル
１６、１６′…構成物品対象テーブル
１７、１７′…装置等積算データ
１８〜２０、１８′〜２０′…物品テーブル
２１…ビル枠
２２…主分配装置（ＭＤＦ）
２３〜２８…中継分配装置（ＩＤＦ）
２９〜３４…幹線ライン（ケーブル）
３５〜４０…アウトレット（ＯＵＴ）
４１〜４６…接続ライン（ケーブル）
４７〜５０…ジャンパパッチコード
５１、５１′…設計データ
５２…積算表
５３…材料集計表
５４ａ、５４ｂ…工程表
５５…見積書
Ｐ…バス
Ｓ１…マスタＤＢサブシステム
Ｓ２…メインサブシステム
Ｓ３…積算ＤＢサブシステム
Ｆ１…マスタデータファイル
【図１】
0003642360.tif 000002
【図２】
0003642360.tif 000003
【図３】
0003642360.tif 000004
【図４】
0003642360.tif 000005
【図５】
0003642360.tif 000006
【図６】
0003642360.tif 000007
【図７】
0003642360.tif 000008
【図８】
0003642360.tif 000009
【図９】
0003642360.tif 000010
【図１０】
0003642360.tif 000011
【図１１】
0003642360.tif 000012
【図１２】
0003642360.tif 000013
【図１３】
0003642360.tif 000014
【図１４】
0003642360.tif 000015
【図１５】
0003642360.tif 000016
【図１６】
0003642360.tif 000017
【図１７】
0003642360.tif 000018
【図１８】
0003642360.tif 000019
【図１９】
0003642360.tif 000020
【図２０】
0003642360.tif 000021
【図２１】
0003642360.tif 000022
【図２２】
0003642360.tif 000023
【図２３】
0003642360.tif 000024
【図２４】
0003642360.tif 000025
【図２５】
0003642360.tif 000026
【図２６】
0003642360.tif 000027
【図２７】
0003642360.tif 000028
【図２８】
0003642360.tif 000029
【図２９】
0003642360.tif 000030
【図３０】
0003642360.tif 000031
【図３１】
0003642360.tif 000032
【図３２】
0003642360.tif 000033